(57)【要約】【課題】アルバムやフォルダを一単位としてアルバム毎やフォルダ毎にランダム再生を行うことが可能な音響再生装置を提供することを目的とする。【解決手段】複数のミュージックファイルが階層的に記録された音響ソース源１０においてミュージックファイルを一まとめに再生するミュージックファイル群の単位を指定し、指定された単位でミュージックファイル群をランダムに選択して、この選択されたミュージックファイル群に含まれるミュージックファイルの全てを再生する。【選択図】      図１
2004241062.tif 000002
【特許請求の範囲】
【請求項１】
複数のミュージックファイルが階層的に記録された音響ソース源と、
前記音響ソース源に記録された前記ミュージックファイルを一まとめに再生するミュージックファイル群の単位を指定する再生単位指定手段と、
前記再生単位指定手段により指定された単位で前記ミュージックファイル群をランダムに選択するミュージックファイル群選択手段と、
前記ミュージックファイル群選択手段により選択された前記ミュージックファイル群に含まれるミュージックファイルの全てを再生する再生手段と
を備えたことを特徴とする音響再生装置。
【請求項２】
前記音響ソース源は、フォルダと、当該フォルダに形成されたアルバムと、当該アルバムに形成されたミュージックファイルとが階層的に形成され、前記再生単位指定手段は、前記ミュージックファイル群の単位としてミュージックファイル、アルバム、またはフォルダを指定することができることを特徴とする請求項１記載の音響再生装置。
【請求項３】
前記再生単位指定手段においてフォルダが指定された場合に、前記ミュージックファイル群選択手段により選択された前記ミュージックファイル群からアルバムをランダムに選択するアルバム選択手段をさらに備え、前記再生手段は選択された当該アルバム毎にミュージックファイルを再生することを特徴とする請求項２記載の音響再生装置。
【請求項４】
前記ミュージックファイル群の選択領域を指定する選択領域指定手段をさらに備えたことを特徴とする請求項１記載の音響再生装置。
【請求項５】
前記音響ソース源は、フォルダと、当該フォルダに形成されたアルバムと、当該アルバムに形成されたミュージックファイルとが階層的に形成され、前記選択領域指定手段は、アルバム、フォルダ、または前記音響ソース源の全ての領域を指定することができることを特徴とする請求項４記載の音響再生装置。
【請求項６】
前記再生手段は、選択された前記ミュージックファイル群に含まれるミュージックファイルを記録された順番に再生することを特徴とする請求項１記載の音響再生装置。
【請求項７】
前記再生手段は、選択された前記ミュージックファイル群に含まれるミュージックファイルをランダムに再生することを特徴とする請求項１記載の音響再生装置。
【請求項８】
ミュージックファイルの集合における最小単位であるアルバム毎に当該ミュージックファイルが記録されている音響ソース源と、
再生する前記アルバムを前記音響ソース源からランダムに選択するアルバム選択手段と、
前記音響ソース源から前記アルバム単位でミュージックファイルを再生する再生手段と
を備えたことを特徴とする音響再生装置。
【請求項９】
ミュージックファイルの集合における最小単位であるアルバムを格納したフォルダ毎に当該ミュージックファイルが記録されている音響ソース源と、
再生する前記フォルダを前記音響ソース源からランダムに選択するフォルダ選択手段と、
前記音響ソース源から前記フォルダ単位でミュージックファイルを再生する再生手段と
を備えたことを特徴とする音響再生装置。
【請求項１０】
複数のミュージックファイルが階層的に記録された音響ソース源においてミュージックファイルを一まとめに再生するミュージックファイル群の単位を指定する再生単位指定ステップと、
前記再生単位指定ステップにより指定された単位で前記ミュージックファイル群をランダムに選択するミュージックファイル群選択ステップと、
前記ミュージックファイル群選択ステップにより選択された前記ミュージックファイル群に含まれるミュージックファイルの全てを再生する再生ステップと
を含むことを特徴とする音響再生方法。
【請求項１１】
前記ミュージックファイル群の選択領域を指定する選択領域指定ステップをさらに含むことを特徴とする請求項１０記載の音響再生方法。
【請求項１２】
前記再生ステップは、選択された前記ミュージックファイル群に含まれるミュージックファイルをランダムに再生することを特徴とする請求項１０記載の音響再生方法。
【請求項１３】
前記再生単位指定ステップにおいて、フォルダと、当該フォルダに形成されたアルバムと、当該アルバムに形成されたミュージックファイルとが階層的に形成された前記音響ソース源から当該フォルダが指定された場合に、前記ミュージックファイル群選択ステップにおいて選択されたミュージックファイル群からアルバムをランダムに選択するアルバム選択ステップをさらに含み、前記再生ステップは当該アルバム毎にミュージックファイルを再生することを特徴とする請求項１０記載の音響再生方法。
【請求項１４】
コンピュータに、
複数のミュージックファイルが階層的に記録された音響ソース源において当該ミュージックファイルを一まとめに再生するミュージックファイル群の単位を指定する再生単位指定機能と、
前記再生単位指定機能により指定された単位で前記ミュージックファイル群をランダムに選択するミュージックファイル群選択機能と、
前記ミュージックファイル群選択機能により選択された前記ミュージックファイル群に含まれるミュージックファイルの全てを再生する再生機能と
を実現させることを特徴とするプログラム。
【請求項１５】
前記ミュージックファイル群の選択領域を指定する選択領域指定機能をさらに含むことを特徴とする請求項１４記載のプログラム。
【請求項１６】
前記再生単位指定機能において、フォルダと、当該フォルダに形成されたアルバムと、当該アルバムに形成されたミュージックファイルとが階層的に形成された前記音響ソース源からフォルダが指定された場合に、前記ミュージックファイル群選択機能において選択されたミュージックファイル群からアルバムをランダムに選択するアルバム選択機能をさらに含み、前記再生機能は当該アルバム毎にミュージックファイルを再生することを特徴とする請求項１４記載のプログラム。
【発明の詳細な説明】
【０００１】
【発明の属する技術分野】
本発明は、音響再生装置等に関し、より詳しくはランダム再生可能な音響再生装置等に関する。
【０００２】
【従来の技術】
従来の音響再生装置では、ＣＤ（Ｃｏｍｐａｃｔ  Ｄｉｓｋ）やＭＤ（Ｍｉｎｉ  Ｄｉｓｋ）等の記録媒体に録音された曲を再生する際に、録音された曲をランダムに再生するランダム再生を行なうことが可能に構成されている。特に、車載用の音響再生装置では、車を運転中に曲を選択するという行為は安全性にも影響があるため、ランダム再生が利用されることが多い。かかるランダム再生では、再生する対象の範囲を限定して指定することはできるものの、ランダムに選択する対象は１曲毎に限られていた。
【０００３】
ここで、従来技術として、再生の対象となるミュージックファイルをランダムに選択する場合、まず、各ミュージックファイルを直接格納している各領域（フォルダ）のうちから１つをランダムに選択し、その選択されたフォルダに格納されている各ミュージックファイルのうちから再生の対象とする１つのミュージックファイルを選択して再生し、そのミュージックファイルを再生した後は、再度フォルダの選択から開始してミュージックファイルを１つずつランダムに再生する技術が存在する（例えば、特許文献１参照）。
【０００４】
【特許文献１】
特開２００２−２６９９５８号公報（第３−５頁、図１）
【０００５】
【発明が解決しようとする課題】
しかしながら、従来のＣＤやＭＤ等の小容量の記録媒体を再生する再生装置では、１曲毎のランダム再生ができれば十分であったが、昨今のＤＶＤ（Ｄｉｇｉｔａｌ  Ｖｅｒｓａｔｉｌｅ  Ｄｉｓｃ）やハードディスク等の大容量ストレージ装置を利用した音響再生装置では大量のアルバムが記録できるようになったため、１曲毎のランダム再生に加えてアルバムまたはフォルダ単位でのランダム再生のニーズが高まっている。
特に車載用の音響再生装置では、多くのアルバムの中から１つのアルバムを選択したり、曲を選択するという行為は、車の運転中であるという観点から安全性に問題があるためランダム再生が利用されることが多いが、従来のランダム再生では１曲単位であったため、好きな曲が再生され、このアルバムを全部聴きたいと思った場合には、ランダム再生モードを解除し、そのアルバムを聴き終わった後、再びランダム再生モードに戻すという面倒な操作が必要であった。このため、アルバムまたはフォルダ単位でランダム再生を行う機能は運転者にとって利便性が高いが、従来はかかる機能を有する音響再生装置は存在しなかった。
【０００６】
なお、上記の特許文献１に記載された技術では、第１選択手段としてフォルダ毎の選択を行い、次に第２選択手段として選択されたフォルダの中から１つのミュージックファイルを選択するというランダム再生を繰り返し、同一のフォルダ内のミュージックファイルが連続して選択されることを極力避けるようにした１曲毎のランダム再生装置であり、アルバムまたはフォルダ単位でのランダム再生を行うための有効な技術は開示されていない。
【０００７】
そこで本発明は、このような技術的課題に基づいてなされたものであり、その目的とするところは、アルバムやフォルダを一単位としてアルバム毎やフォルダ毎にランダム再生を行うことが可能な音響再生装置を提供することにある。
【０００８】
【課題を解決するための手段】
かかる目的のもと、本発明の音響再生装置は、複数のミュージックファイルが階層的に記録された音響ソース源においてミュージックファイルを一まとめに再生するミュージックファイル群の単位を指定し、指定された単位でミュージックファイル群をランダムに選択して、この選択されたミュージックファイル群に含まれるミュージックファイルの全てを再生することを特徴としている。また、音響ソース源は、フォルダと、フォルダに形成されたアルバムと、アルバムに形成されたミュージックファイルとが階層的に形成され、一まとめに再生するミュージックファイル群の単位としてミュージックファイル、アルバム、またはフォルダを指定できることを特徴とすることができる。特に、一まとめに再生するミュージックファイル群の単位としてフォルダが指定された場合に、選択されたミュージックファイル群からアルバムをランダムに選択し、選択されたアルバム毎にミュージックファイルを再生することを特徴とすることもできる。
【０００９】
また、ミュージックファイル群の選択領域を指定することを特徴とすることができる。特に、フォルダと、フォルダに形成されたアルバムと、アルバムに形成されたミュージックファイルとが階層的に形成された音響ソース源に対して、アルバム、フォルダ、または音響ソース源の全ての領域をミュージックファイル群の選択領域として指定することができることを特徴とすることができる。
さらに、選択されたミュージックファイル群に含まれるミュージックファイルを再生するに際し、ミュージックファイル群に含まれるミュージックファイルを記録された順番に再生することを特徴とすることができる。また、選択されたミュージックファイル群に含まれるミュージックファイルをランダムに再生することを特徴とすることもできる。
【００１０】
また、本発明の音響再生装置は、音響ソース源にミュージックファイルの集合における最小単位であるアルバム毎にミュージックファイルが記録され、再生するアルバムを音響ソース源からランダムに選択し、アルバム単位でミュージックファイルを再生することを特徴としている。
【００１１】
さらに、本発明の音響再生装置は、音響ソース源にミュージックファイルの集合における最小単位であるアルバムを格納したフォルダ毎にミュージックファイルが記録され、再生するフォルダを音響ソース源からランダムに選択し、フォルダ単位でミュージックファイルを再生することを特徴としている。
【００１２】
また、本発明を音響再生方法として捉え、複数のミュージックファイルが階層的に記録された音響ソース源においてミュージックファイルを一まとめに再生するミュージックファイル群の単位を指定する再生単位指定ステップと、再生単位指定ステップにより指定された単位でミュージックファイル群をランダムに選択するミュージックファイル群選択ステップと、ミュージックファイル群選択ステップにより選択されたミュージックファイル群に含まれるミュージックファイルの全てを再生する再生ステップとを含むことを特徴としている。
【００１３】
また、ミュージックファイル群の選択領域を指定する選択領域指定ステップをさらに含むことを特徴とすることができる。さらに、再生ステップは、選択されたミュージックファイル群に含まれるミュージックファイルをランダムに再生することを特徴とすることもできる。また、再生単位指定ステップにおいて、フォルダと、フォルダに形成されたアルバムと、アルバムに形成されたミュージックファイルとが階層的に形成された音響ソース源からフォルダが指定された場合に、ミュージックファイル群選択ステップにおいて選択されたミュージックファイル群からアルバムをランダムに選択するアルバム選択ステップをさらに含み、再生ステップはアルバム毎にミュージックファイルを再生することを特徴とすることができる。
【００１４】
さらに、本発明をプログラムとして捉え、複数のミュージックファイルが階層的に記録された音響ソース源においてミュージックファイルを一まとめに再生するミュージックファイル群の単位を指定する再生単位指定機能と、再生単位指定機能により指定された単位でミュージックファイル群をランダムに選択するミュージックファイル群選択機能と、ミュージックファイル群選択機能により選択されたミュージックファイル群に含まれるミュージックファイルの全てを再生する再生機能とを実現させることを特徴としている。
【００１５】
また、ミュージックファイル群の選択領域を指定する選択領域指定機能をさらに含むことを特徴とすることができる。さらに、再生単位指定機能において、フォルダと、フォルダに形成されたアルバムと、アルバムに形成されたミュージックファイルとが階層的に形成された音響ソース源からフォルダが指定された場合に、ミュージックファイル群選択機能において選択されたミュージックファイル群からアルバムをランダムに選択するアルバム選択機能をさらに含み、再生機能はアルバム毎にミュージックファイルを再生することを特徴とすることができる。
【００１６】
【発明の実施の形態】
以下、添付図面に示す実施の形態に基づいて本発明について詳細に説明する。
図１に示すものは、本実施の形態における音響再生装置の構成を説明するブロック図である。この音響再生装置１は、ハードディスクやＤＶＤ等からなる大量のデータを記録可能な大容量の音響ソース源１０、音響ソース源１０からの信号を外部に出力する出力装置２０、ユーザが音響再生装置１の動作状態を把握し、かつ音響再生装置１を操作するためのユーザインターフェース（ＵＩ）３０、音響再生装置１全体を制御するシステム制御部４０を備えている。
【００１７】
音響ソース源１０は、音響ソースとしてのミュージックファイルを階層構造に記録している。図２は、ミュージックファイルを階層構造に記録した音響ソース源１０の内部構成の一例を説明する図である。図２に示すように、音響ソース源１０には、複数のフォルダが形成され、各フォルダ毎に１または複数のアルバムが形成されている。ここでアルバムとは、１または複数の曲（ミュージックファイル）を一まとめにしたミュージックファイル群を形成する集合をいい、一般的にはＣＤ１枚分を１アルバムという。また、フォルダとは１または複数のアルバムを一まとめにしたミュージックファイル群を形成する集合をいう。
【００１８】
すなわち、音響ソース源１０では、第１の階層として複数のフォルダが形成され、第２の階層として各フォルダの中にアルバムが記録され、さらに第３の階層として各アルバムの中に音響ソースファイルとしてのＭｕｓｉｃが記録されている。
図２に示した音響ソース源１０の内部構成例においては、音響ソース源１０に配設されているハードディスク（メインフォルダ）には、フォルダ１、２、…、ｎのｎ個のフォルダが形成されている。フォルダ１にはアルバム１ａ、１ｂ、…、１ｍが記録され、フォルダ２にはアルバム２ａ、２ｂ、…、２ｐが記録されている。フォルダ３〜ｎについても同様である。さらに、アルバム１ａにはミュージックファイルＭｕｓｉｃ−１ａ１、Ｍｕｓｉｃ−１ａ２、…、Ｍｕｓｉｃ−１ａｘ、アルバム１ｂにはミュージックファイルＭｕｓｉｃ−１ｂ１、Ｍｕｓｉｃ−１ｂ２、…、Ｍｕｓｉｃ−１ｂｙ、またアルバム２ａにはミュージックファイルＭｕｓｉｃ−２ａ１、Ｍｕｓｉｃ−２ａ２、…、Ｍｕｓｉｃ−２ａｚが記録されている。その他のアルバムについても同様である。
なお、図２に示した構成例に加えて、フォルダの中にさらにフォルダを形成した構成をとることも可能である。
【００１９】
出力装置２０は、音響ソース源１０から出力された信号をスピーカ、外部アンプ、ヘッドフォン等に出力できる信号に変換する装置である。出力装置２０にスピーカを配設して、直接的に音として外部に出力するように構成することも可能である。
【００２０】
ユーザインターフェース３０は、表示部と操作部とで構成され、ユーザが表示部での表示に基づいて音響再生装置１の動作状態を把握したり、ユーザの意思に基づいて操作部から音響再生装置１を操作するユニットである。例えば、表示部では、音量レベル、低音・高音レベル、前後左右の音量バランス等が表示される。また、操作部では、電源スイッチ、ランダム再生モードの変更入力等の各種入力が行える。なお、表示部を液晶モニターで構成し、表示部の表示画面にタッチパネル、タッチスクリーン等を含むタブレットを使用し、画面に触れることで上記の各種入力を行えるように構成して、表示部と操作部とを一体的に構成してもよい。また、操作部としてジョグダイアル等で構成されるリモートコントローラ等を用いて、表示部と操作部とを別体構成とすることもできる。
【００２１】
システム制御部４０は、マイクロコンピュータで構成されている。そしてユーザインターフェース３０から入力された信号により、音響ソース源１０に対し曲を選択して再生したり、曲の早送りやリバースを行ったり、さらに次に説明する曲のランダム再生についての制御等を行う。また出力装置２０に対し出力レベルや音質等の変更を行ったり、またユーザインターフェース３０に表示内容を送信する。このように、システム制御部４０は音響再生装置１全体をコントロールしている。
【００２２】
次に、システム制御部４０が行うランダム再生について説明する。本実施の形態では、ランダム再生を行う単位として１曲毎に加えて、アルバムまたはフォルダを一単位としてアルバム毎またはフォルダ毎に行うことが可能である。すなわち、１サイクルで再生するミュージックファイル群の単位として、１ミュージックファイル、アルバム、フォルダのいずれかを選択するすることができる。ここで、アルバム毎のランダム再生をシャッフル・アルバム（ＳＨＵＦ−Ａ）、フォルダ毎のランダム再生をシャッフル・フォルダ（ＳＨＵＦ−Ｆ）と表記する。システム制御部４０では、ユーザインターフェース３０からの入力により、１曲毎にランダム再生を行うモードに加えて、ＳＨＵＦ−Ａを行うＳＨＵＦ−Ａモード、およびＳＨＵＦ−Ｆを行うＳＨＵＦ−Ｆモードを設定することができる。
【００２３】
図３は、システム制御部４０がＳＨＵＦ−Ａを行う場合の処理の流れを示すフローチャートであり、図４は、システム制御部４０がＳＨＵＦ−Ｆを行う場合の処理の流れを示すフローチャートである。図３に示すように、ＳＨＵＦ−Ａでは、まず現在選択されている曲の再生を行い（Ｓ１０１）、その曲の再生が終了したかどうかを判断し（Ｓ１０２）、終了していない場合には引き続き再生を行う。終了した場合にはユーザがＳＨＵＦ−Ａモードを指定しているかどうかを判断する（Ｓ１０３）。ＳＨＵＦ−Ａモードに設定されていない場合には、通常次に再生する曲（アルバム内を全曲再生し終えた場合には、次のアルバムへ移動し、そのアルバムの最初の曲）へ移動し（Ｓ１０４）、ステップＳ１０１に戻りその曲を再生する。
【００２４】
ＳＨＵＦ−Ａモードに設定されている場合には、それまでに再生してきたアルバム内の曲を全曲再生し終えたかどうかを判断し（Ｓ１０５）、そのアルバム内に未だ再生されていない曲がある場合にはそのアルバム内の次の曲に移動して（Ｓ１０６）、ステップ１０１に戻りその曲を再生する。
アルバム内の全曲を再生し終えた場合には、次に再生するアルバムをランダムに選択し（Ｓ１０７）、そのアルバム内の最初の曲へ移動し（Ｓ１０８）、ステップ１０１に戻りその曲を再生する。
【００２５】
なお、本実施の形態のＳＨＵＦ−Ａでは、ステップ１０６においてアルバム内の次の曲を選択する際にアルバムに収録された曲の順に選択したが、そのアルバム内をランダムに選曲することによりアルバム内をシャッフルし、アルバム内の全曲の再生の終了後に次のアルバムを選択する（Ｓ１０７）ことも可能である。
【００２６】
次に、図４に示すように、ＳＨＵＦ−Ｆでは、まず現在選択されている曲の再生を行い（Ｓ２０１）、その曲の再生が終了したかどうかを判断し（Ｓ２０２）、終了していない場合には引き続き再生を行う。終了した場合には現在ユーザがＳＨＵＦ−Ｆモードを設定しているかどうかを判断する（Ｓ２０３）。ＳＨＵＦ−Ｆモードに設定されていない場合には、通常次に再生する曲（フォルダ内を全曲再生し終えた場合には、次のフォルダへ移動し、そのフォルダの最初の曲）へ移動し（Ｓ２０４）、ステップＳ２０４に戻りその曲を再生する。
【００２７】
ＳＨＵＦ−Ｆモードに設定されている場合には、それまでに再生してきたフォルダ内の曲を全曲再生し終えたかどうかを判断し（Ｓ２０５）、そのフォルダ内に未だ再生されていない曲がある場合にはそのフォルダ内の次の曲に移動して（Ｓ２０６）、ステップ２０１に戻りその曲を再生する。ここで、フォルダ内に複数のアルバムが含まれる場合には、予め設定されたアルバムの順に先頭の曲から順に移動するように再生する。
フォルダ内の全曲を再生し終えた場合には、次に再生するフォルダをランダムに選択し（Ｓ２０７）、そのフォルダ内の最初の曲へ移動し（Ｓ２０８）、ステップ２０１に戻りその曲を再生する。
【００２８】
なお、本実施の形態のＳＨＵＦ−Ｆでは、ステップ２０６においてフォルダ内の次の曲を選択する際にフォルダに収録された曲の順に選択し、フォルダ内に複数のアルバムが含まれる場合には、予め設定されたアルバムの順に先頭の曲から順に移動して再生するように構成したが、そのフォルダ内においてランダムに選曲することによりフォルダ内をシャッフルし、フォルダ内の全曲の再生の終了後に次のフォルダを選択する（Ｓ２０７）ことも可能である。
また、ステップ２０６においてフォルダ内のアルバムをランダムに選択してフォルダ内をアルバム単位でシャッフルし、その選択されたアルバムを収録された曲の順に再生したり、さらにその選択されたアルバム内でランダムに選曲することによりアルバム内をシャッフルして再生することも可能である。そしてフォルダ内の全曲の再生の終了後に次のフォルダを選択する（Ｓ２０７）。
【００２９】
次に、ユーザがランダム再生モードを選択する際の手順を説明する。ここでは、１曲毎にランダム再生するモードとアルバム毎にランダム再生するモード（ＳＨＵＦ−Ａ）とを有する場合を説明する。ここで、１曲毎にランダム再生するモードをシャッフル・ワンソング（ＳＨＵＦ−１）と表記する。
図５は、ＳＨＵＦ−１を選択した場合のユーザインターフェース３０に表示されるメニュー画面を示したものである。まず、ユーザインターフェース３０の表示画面には、図５（ａ）に示したように、シャッフルさせる最小単位を指定するメニュー画面が表示され、ＳＨＵＦ−１を選択した場合には、「Ｏｎｅ  Ｓｏｎｇ」の表示の色が変化する。図中では、色の変化を斜線掛けで表示している（以下、同様に表示する）。このようにシャッフルさせる最小単位が指定されたら、次に表示画面にはシャッフルさせる範囲を指定するメニュー画面が表示される。図５（ｂ）は、シャッフルさせる範囲として「Ａｌｂｕｍ」を選択した場合を示している。この場合には、まずアルバムがランダムに選択されるかまたはユーザによって指定され、そのアルバム内で１曲がランダムに選択され、再生されることを繰り返す。
【００３０】
ここで、図５（ｂ）において、「Ａｌｌ」とは音響ソース源１０に記録されている全ての曲がランダム再生の対象となる領域であることを示し、「Ｆｏｌｄｅｒ」とはランダムに選択されるかまたはユーザによって指定されたフォルダの中がランダム再生の対象となる領域であることを示し、「Ａｌｂｕｍ」とはランダムに選択されるかまたはユーザによって指定されたアルバムの中がランダム再生の対象となる領域であることを示し、「Ｏｆｆ」とはランダム再生モードを停止させることを示している。以下、同様である。
【００３１】
図６は、ＳＨＵＦ−Ａを選択した場合のユーザインターフェース３０に表示されるメニュー画面を示したものである。この場合には、ユーザインターフェース３０の表示画面には、図６（ａ）に示したように、シャッフルさせる最小単位を指定するメニュー画面において、ＳＨＵＦ−Ａを選択した場合の、「Ａｌｂｕｍ」の表示の色が変化する。次に表示画面にはシャッフルさせる範囲を指定するメニュー画面が表示されるが、その際ＳＨＵＦ−Ａを選択しているため、「Ａｌｂｕｍ」を選択するのは意味がないので、「Ａｌｂｕｍ」が選択できないことを表示するべく、図６（ｂ）に示したように「Ａｌｂｕｍ」をトーンダウンで表示するか、または図６（ｃ）に示したように「Ａｌｂｕｍ」を表示しない。したがって、ユーザは、シャッフルさせる範囲を指定するメニュー画面のうち、「Ａｌｌ」、「Ｆｏｌｄｅｒ」、または「Ｏｆｆ」のいずれかを選択することになり、図６（ｂ）、（ｃ）では、「Ｆｏｌｄｅｒ」を選択した場合を示している。
【００３２】
したがって、この場合には、まずフォルダがランダムに選択されるかまたはユーザによって指定され、そのフォルダ内でアルバムがランダムに選択され、その選択されたアルバム内の全曲が順に、またはランダムに選択されて再生される。そのアルバムが全曲再生された後に、さらにそのフォルダ内でアルバムがランダムに選択され、フォルダ内の全アルバムの再生が終了するまで、この動作が繰り返される。
【００３３】
ここで、シャッフルさせる範囲の指定を行う際に、システム制御部４０が行うメニュー画面の表示の手順を説明する。なお、ここでは、１曲毎にランダム再生するモードとアルバム毎にランダム再生するモードとを有する場合を説明する。
図７は、シャッフルさせる範囲の指定を行う際のメニュー画面の表示の流れを説明するフローチャートである。まず、シャッフルさせる最小単位の指定を選択するメニュー画面が表示される（Ｓ３０１）。すなわち、シャッフルさせる最小単位の指定を優先して行い、「Ａｌｂｕｍ」と「Ｏｎｅ  Ｓｏｎｇ」との中からいずれかを選択することができる。次に、「Ｏｎｅ  Ｓｏｎｇ」すなわち１曲が選択された場合には、シャッフルさせる範囲を指定する画面として、「Ａｌｌ」、「Ｆｏｌｄｅｒ」、「Ａｌｂｕｍ」、「Ｏｆｆ」が表示される（Ｓ３０２）。一方、「Ａｌｂｕｍ」すなわちアルバムが選択された場合には、シャッフルさせる範囲を指定する画面として、「Ａｌｌ」、「Ｆｏｌｄｅｒ」、「Ｏｆｆ」が表示される（Ｓ３０３）。
【００３４】
次に、ＳＨＵＦ−１とＳＨＵＦ−Ａとを選択する機能を有する場合のシステム制御部４０が行うランダム再生処理について説明する。図８は、ユーザがＳＨＵＦ−１とＳＨＵＦ−Ａとのいずれかを選択する場合の処理の流れを示すフローチャートである。
図８に示すように、ランダム再生モードが選択された場合、まず、ユーザインターフェース３０にはシャッフルさせる最小単位を指定するメニュー画面が表示され、シャッフルさせる最小単位が設定される（Ｓ４０１）。次に、選択された最小単位に対応してシャッフルさせる範囲の指定をするメニュー画面が表示され、シャッフルする範囲の設定が行われる（Ｓ４０２）。
【００３５】
その次に、現在再生されている曲の再生が終了したかどうかを判断し（Ｓ４０３）、終了していない場合には引き続き再生を行う。終了した場合には、ステップ４０１においてユーザにより指定されたシャッフルさせる最小単位が１曲単位かアルバム単位かを判定する（Ｓ４０４）。ここでＳＨＵＦ−１が指定されている場合には、ステップ４０２において指定されたシャッフルさせる範囲を判定し、その指定された範囲の中でランダムに曲を選択し、その曲を再生する（Ｓ４０５）。
【００３６】
ステップ４０４においてＳＨＵＦ−Ａが指定されている場合には、現在再生されている曲が収録されたアルバム内の曲が全て再生されたかどうかを判断する（Ｓ４０６）。ステップ４０６においてアルバム内の曲に未だ再生されていない曲がある場合には、そのアルバム内の次に収録されている曲を再生する（Ｓ４０７）。一方、アルバム内に収録された曲の全ての再生が終了したと判断された場合には、ステップ４０２において指定されたシャッフルさせる範囲の中でランダムにアルバムを選択し、そのアルバムの最初の曲から再生を開始し、収録された曲を全て再生する（Ｓ４０８）。そして、指定された範囲内のアルバムが全て再生されるまで、ランダムにアルバムが選択され、再生される。
【００３７】
なお、上記の実施の形態では、シャッフルさせる最小単位の指定を選択した後、シャッフルさせる範囲を指定するように構成したが、シャッフルさせる最小単位の指定を選択した後、シャッフルさせる範囲を音響ソース源１０に記録された全領域に自動的に設定するように構成することも可能である。
【００３８】
このように、本実施の形態では、１サイクルで再生するミュージックファイル群の単位としてアルバム単位またはフォルダ単位でのランダム再生を行うことが可能となるように構成することで、従来の１曲毎のランダム再生のように、例えばユーザが久々に聴いた曲が収録されたアルバムを全部聴きたいと思った場合に、一旦ランダム再生モードをキャンセルし、そのアルバムを再生し終えた際に、再度ランダム再生モードに設定するような面倒な操作が不要となった。さらに、ユーザは様々なバリエーションのランダム再生を選択することが可能となり、好みに合った再生方法を楽しむことが可能となった。
【００３９】
【発明の効果】
以上説明したように、本発明によれば、アルバムやフォルダを一単位としてアルバム毎やフォルダ毎にランダム再生を行うことが可能となった。
【図面の簡単な説明】
【図１】本発明の音響再生装置の構成を説明するブロック図である。
【図２】ミュージックファイルを階層構造に記録した音響ソース源の内部構成の一例を説明する図である。
【図３】ＳＨＵＦ−Ａを行う場合の処理の流れを示すフローチャートである。
【図４】ＳＨＵＦ−Ｆを行う場合の処理の流れを示すフローチャートである。
【図５】１曲毎にランダム再生するモードを選択した場合のメニュー画面を示した図である。
【図６】アルバム毎にランダム再生するモードを選択した場合のメニュー画面を示した図である。
【図７】シャッフルさせる範囲の指定を行う際のメニュー画面の表示の流れを説明するフローチャートである。
【図８】１曲毎のランダム再生モードとアルバム毎のランダム再生モードとを選択する場合の処理の流れを示すフローチャートである。
【符号の説明】
１０…音響ソース源、２０…出力装置、３０…ユーザインターフェース、４０…システム制御部
【図１】
2004241062.tif 000003
【図２】
2004241062.tif 000004
【図３】
2004241062.tif 000005
【図４】
2004241062.tif 000006
【図５】
2004241062.tif 000007
【図６】
2004241062.tif 000008
【図７】
2004241062.tif 000009
【図８】
2004241062.tif 000010